(57)【特許請求の範囲】
【請求項１】
ボディ（１２）を備えた手動装置（１０）であって、前記手動装置は前記ボディ（１２）に取り付けられた少なくとも１つのリバーシブルの先端部（１４）を含み、前記リバーシブルの先端部（１４）は、第１ヘッド（１６）と前記第１ヘッド（１６）の反対側にある第２ヘッド（１８）とを備え、前記先端部（１４）は、前記第１ヘッド（１６）が前記ボディ（１２）から突出する一方で前記第２ヘッド（１８）が前記ボディ（１２）の内部に収められる第１状態、または、前記第２ヘッド（１８）が前記ボディ（１２）から突出する一方で前記第１ヘッド（１６）が前記ボディ（１２）の内部に収められる第２状態で前記ボディ（１２）に取り付けられるように構成され、前記先端部（１４）が導電性のアウターケーシング（１９）と前記アウターケーシング（１９）の内部に配置された内部部品（２１）とを備える一方で前記第１ヘッド（１６）が容量性スクリーン用の第１パッド（２０）を備え、前記第１ヘッド（１６）および前記第２ヘッド（１８）が前記内部部品（２１）と前記アウターケーシング（１９）との間でロックされている一方で前記内部部品（２１）がスナップ嵌めによって前記アウターケーシング（１９）に組み付けられており、前記第１ヘッド（１６）および前記第２ヘッド（１８）が前記アウターケーシング（１９）から突出していることを特徴とする、手動装置（１０）。
【請求項２】
前記第２ヘッド（１８）は、容量性スクリーン用の第２パッド（２２）を備える、請求項１に記載の手動装置（１０）。
【請求項３】
前記第１パッド（２０）は、前記第２パッド（２２）とは異なっている、請求項２に記載の手動装置（１０）。
【請求項４】
前記第１パッド（２０）は、前記先端部（１４）が前記第１状態で取り付けられている場合に、前記ボディ（１２）の少なくとも一部と電気的に接触している、請求項１〜３のいずれか一項に記載の手動装置（１０）。
【請求項５】
前記第２パッド（２２）は、前記先端部（１４）が前記第２状態で取り付けられている場合に、前記ボディ（１２）の少なくとも一部と電気的に接触している、請求項２と請求項１〜４のいずれか一項とに記載の手動装置（１０）。
【請求項６】
前記手動装置（１０）は、前記第１状態および／または前記第２状態の前記先端部（１４）を取り付けるスナップ嵌めシステム（２４）を含み、前記スナップ嵌めシステム（２４）は前記アウターケーシング（１９）に形成された少なくとも１つの第１起伏部（２４ａ）と、前記ボディ（１２）に形成され前記第１起伏部（２４ａ）と相補的な形状によって協働するように構成された少なくとも１つの第２起伏部（２４ｂ）とを有し、前記先端部（１４）が前記第１状態および／または前記第２状態にある場合に少なくとも前記スナップ嵌めシステム（２４）によって前記アウターケーシング（１９）が前記ボディ（１２）と電気的に接触している、請求項１〜５のいずれか一項に記載の手動装置（１０）。
【請求項７】
前記アウターケーシング（１９）は、軸方向（Ｘ）に延び、前記第１ヘッド（１６）および前記第２ヘッド（１８）のうちの一方のヘッドは、ケーシング軸方向第１部分（１９ａ）とケーシング軸方向第２部分（１９ｂ）とを軸方向において区切る第１肩部（１９ｃ）と軸方向に協働し、前記ヘッドは、前記ケーシング軸方向第１部分（１９ａ）内を延びて前記アウターケーシング（１９）から突出している、請求項１〜６のいずれか一項に記載の手動装置（１０）。
【請求項８】
前記ヘッドは、前記ヘッドと前記アウターケーシング（１９）との間に電気的接触を確保するように前記第１肩部（１９ｃ）と協働する肩部（２２ｄ）を形成する基部（２２ｃ）を含む、請求項７に記載の手動装置（１０）。
【請求項９】
前記基部（２２ｃ）は、軸方向において前記第１肩部（１９ｃ）と前記内部部品（２１）との間に挟み込まれている、請求項８に記載の手動装置（１０）。
【請求項１０】
前記第１ヘッド（１６）および前記第２ヘッド（１８）のうちの他方のヘッドは、パッドを含み、前記他方のヘッドの前記パッドは、前記アウターケーシング（１９）と電気的に接触するように前記内部部品（２１）に取り付けられており、（ｉ）前記他方のヘッドの前記パッドは前記第１パッド（２０）である、または、（ii）前記第２ヘッド（１８）は容量性スクリーン用の第２パッド（２２）を備え、前記他方のヘッドの前記パッドは前記第２パッド（２２）である、請求項７〜９のいずれか一項に記載の手動装置（１０）。
【請求項１１】
前記アウターケーシング（１９）は、スカート部（１９ｄ）を備え、前記他方のヘッドの前記パッドは、少なくとも部分的に前記スカート部（１９ｄ）に嵌め込まれて前記スカート部（１９ｄ）と接触している、請求項１０に記載の手動装置（１０）。
【請求項１２】
前記アウターケーシング（１９）と前記内部部品（２１）とは軸方向（Ｘ）に延びており、前記内部部品（２１）の少なくとも１つの軸端（２１ａ，２１ｂ）はヘッド（１６，１８）に挿入されている、請求項１〜１１のいずれか一項に記載の手動装置。
【請求項１３】
前記軸端（２１ａ，２１ｂ）は、相補的な形状により前記ヘッド（１６，１８）の全体または一部と協働する、請求項１２に記載の手動装置。
【請求項１４】
前記ボディ（１２）は、軸方向（Ｘ）に延び、前記ボディ（１２）は、前記先端部（１４）が取り付けられる第１遠位端（１２ａ）を有する、請求項１〜１３のいずれか一項に記載の手動装置（１０）。
【請求項１５】
前記ボディ（１２）は、前記第１遠位端（１２ａ）の反対側にある第２遠位端（１２ｂ）を有し、前記第２遠位端（１２ｂ）は、筆記用先端部またはその等価物を有する、請求項１４に記載の手動装置（１０）。
【発明の詳細な説明】
【技術分野】
【０００１】
本発明は、容量性スクリーン用の先端部を有する手動装置に関する。このような容量性スクリーン用の先端部は、容量性スクリーンの任意の点における先端部の存在を容量性スクリーンが検知できるようにスクリーンに干渉／相互作用可能である。容量性スクリーンは、例えば、マルチメディアタブレットのスクリーンまたは携帯電話のスクリーンであり得る。
【背景技術】
【０００２】
容量性スクリーンを使用するためには、容量性スクリーン用のスタイラスが必要であることが多い。しかし、このようなスタイラスは、所定の容量性スクリーン用の単一のヘッドを有する特殊な器具であり、高価である。
【発明の概要】
【０００３】
本発明は、手動装置に関する。
【０００４】
ある実施形態は、ボディを備えた手動装置であって、該手動装置はボディに取り付けられた少なくとも１つのリバーシブルの先端部を含み、リバーシブルの先端部は、第１ヘッドと第１ヘッドの反対側にある第２ヘッドとを備え、先端部は、第１ヘッドがボディから突出する一方で第２ヘッドがボディの内部に収められる第１状態、または、第２ヘッドがボディから突出する一方で第１ヘッドがボディの内部に収められる第２状態でボディに取り付けられるように構成され、先端部が導電性のアウターケーシングとケーシングの内部に配置された内部部品とを備える一方で第１ヘッドが容量性スクリーン用の第１パッドを備え、第１ヘッドおよび第２ヘッドが内部部品とケーシングとの間でロックされている（bloquees）一方で内部部品がスナップ嵌めによってケーシングに組み付けられており、第１ヘッドおよび第２ヘッドがケーシングから突出している手動装置を提供する。
【０００５】
以下、異なる説明がない限り、「導電性」という用語は、「電気的導電性」の意として理解されるべきである。一方、以下、異なる説明がない限り、「絶縁性」という用語は、「電気的絶縁性」の意として理解されるべきである。
【０００６】
以下、異なる説明がない限り、「ケーシング」という用語は、「導電性のアウターケーシング」の意として理解されるべきである。
【０００７】
先端部が第１状態でボディに取り付けられている場合に第１ヘッドが使用可能であり、一方、先端部が第２状態でボディに取り付けられている場合に第２ヘッドが使用可能であると理解されるべきである。一方のヘッドが使用可能である場合、他方のヘッドはボディの内部に配置される。すなわち、ボディは、少なくとも部分的に中空であり、先端部の第２状態では第１ヘッドを、第１状態では第２ヘッドを収容するように構成されている。従って、このボディによって、一方のヘッドが使用可能であるときに他方のヘッドを「しまい込む」ことが可能になる。ボディは、そのようにしまい込まれたヘッドを保護する役割を果たす。本発明の文脈では、「ボディ」という用語は、概して、先端部の部分を構成しない全ての要素の集合体を指す。
【０００８】
ボディの全体または一部が手動装置の把持部を構成する。先端部は、使用者がそれを第１状態または第２状態でボディに取り付けることができるように構成されている。よって、使用者の選択に応じて、先端部を第１状態または第２状態でボディに取り付けることができ、このように選択されてボディから突出しているヘッドを用いるために、手動装置をボディを介して操作して使用できる。
【０００９】
先端部が２つのヘッドを有し、第１ヘッドが容量性スクリーン用のパッドを備えているため、第１ヘッドを用いることで手動装置を容量性スクリーンで使用でき、その一方で、第２ヘッドにより、手動装置を例えば別の用途に使用することが可能となる。例えば、第２ヘッドは、書かれたものを消すための消しゴムを備えていてもよく、サーモクロミックインクを用いて書かれたものの色を変える（通常は見えなくする）ための摩擦体を備えていてもよい。
【００１０】
パッドは容量性スクリーンと相互作用するように構成された末端部であることが理解され得る。パッドは、（パッドを形成している材料のおかげで、または、コーティングのおかげで）電気的に導電性である。パッドが容量性スクリーンと相互作用可能である限り、すなわち、パッドがスクリーンに接触していることをスクリーンが検知できる限り、パッドの形状、柔軟性／剛性、および材料は限定されない。
【００１１】
従って、本手動装置は、先行技術の公知の装置と比べて、汎用性が高い、あるいは、特殊性が低い。このような手動装置は、ただ１つの装置で２つの「道具」を有する「二機能一体型」装置である。このような装置の全体のコストは、ヘッドの一方に相当する「道具」をそれぞれ構成する２つの別々の従来装置の総コストと比べて低い。
【００１２】
ケーシングは、第１ヘッドおよび第２ヘッドを収容する内部筐体を有していると理解されるべきである。ケーシングが金属で作製されている、ケーシングがカーボンブラックもしくは金属繊維が充填されたプラスチック材料で作製されている、または、ケーシングが塗料、ニスもしくは真空蒸着により堆積した金属層のような導電性コーティングにより覆われたプラスチック材料で作製されているなどでケーシングが導電性であるため、第１に、第１パッドを有する第１ヘッドおよび／または第２ヘッドとケーシングとの間に、第２に、ケーシングとボディの少なくとも一部との間に、電気的接触を容易に確保できる。
【００１３】
スナップ嵌めによる組み合わせとは、嵌め合わせと弾性変形とによって（通常は、舌状部などの局所変形であり、または、組み合わせに関わる全ての部品の変形によって）２つの部分を組み合わせる方法であると理解されるべきである。２つの部分をスナップ嵌め位置で嵌め合わせると、それらの部分は、通常、初期の形状に戻り、何ら弾性変形していない状態になる（あるいは弾性変形がより少ない状態になる）。２つの部分をスナップ嵌め位置で互いに嵌め合わせると、それらの部分は、脱離方向（嵌め合わせ方向とは反対の方向）への互いの相対的な移動を抑制する、あるいはロックするように互いに協働する。スナップ嵌め位置では、２つの部分同士はさらに、スナップ嵌め位置を超えてさらに深く嵌り合う方向への互いの相対的な移動を抑制する、あるいはロックするように協働してもよい。
【００１４】
スナップ嵌めによる組み合わせが、永続的、すなわち、一旦２つの部品がスナップ嵌めされるとそれらは互いに分離できないものであってもよく、または、リバーシブル、すなわち、２つの部品が意のままに組み合わせられたり分離されたりし得るものであってもよいことはもちろんである。永続的なスナップ嵌めによれば、製造時において組み合わせが容易となるとともに使用時において信頼性および堅牢性が特に高くなり、一方、リバーシブルな組み合わせによれば、特に装置のライフタイムの期間において部品を交換したり検査したりすることについて使用の大きな柔軟性が得られる。
【００１５】
スナップ嵌めによる組み合わせには、実装が容易であり、信頼性が高く、安価であるという利点がある。
【００１６】
例えば、ケーシングを内部部品にスナップ嵌めするために、手動装置は、ケーシングの内側表面にある少なくとも１つの第１起伏部と、内部部品の外側表面に形成され第１起伏部と相補的な形状によって協働するように構成された少なくとも１つの第２起伏部とを有する第１スナップ嵌めシステムを備える。
【００１７】
内部部品がケーシングにスナップ嵌めされている一方でケーシングに対して第１ヘッドおよび第２ヘッドがロックされていると理解されるべきである。すなわち、それらのヘッドは、内側部品とケーシングの間に挟み込まれている（enserrees）。ロックが少なくとも１自由度について（すなわち、並進運動および／または回転運動について）実行されると理解されるべきあるが、全ての自由度について実行されることが必須ではないことはもちろんである。例えば、それらのヘッドが、並進運動の３自由度全てについてロックされるが１自由度についての回転は許容されていてもよい。
【００１８】
この組み合わせ構造を用いることによって、内部部品がケーシングに組み付けられている場合に、第１ヘッドおよび第２ヘッドは、同時に、ケーシングと内部部品の間でロックされている。
【００１９】
このような組み合わせ構造は、比較的少ない数の部品を有する一方で信頼性が高く堅牢であるため、低コストで大規模の工業生産に特に適している。
【００２０】
ある実施形態では、第２ヘッドが容量性スクリーン用の第２パッドを備える。第２パッドは第１パッドとは別体であると理解されるべきである。
【００２１】
ある実施形態では、第１パッドは第２パッドとは異なっている。
【００２２】
例えば、第１パッドと第２パッドとは、サイズ、および／または容量性スクリーンとの接触面積、および／または形状、および／または材料、および／または剛性などが異なっている。
【００２３】
この場合、手動装置は、異なる容量性スクリーンに使用される２つの別々のパッドを有する。よって、手動装置の容量性スクリーンへの使用についての多用途性が向上する。例えば、第１パッドおよび第２パッドの接触面積は、様々な精度の容量性スクリーンに適合されている。この場合、例えば、接触面積が大きい方のパッドがマルチメディアタブレットの容量性スクリーンで使用され、一方、接触面積が小さい方のパッドが携帯電話の容量性スクリーンで使用される。マルチメディアタブレットのスクリーンは、一般に、携帯電話のスクリーンと比べて精度が低い。
【００２４】
ある実施形態では、第１パッドは、先端部が第１状態で取り付けられている場合に、ボディの少なくとも一部と電気的に接触している。
【００２５】
ある実施形態では、第２パッドは、先端部が第２状態で取り付けられている場合に、ボディの少なくとも一部と電気的に接触している。
【００２６】
「ボディの少なくとも一部」という表現は、先端部の部分を構成していない手動装置の任意の部分を指す。例えば、この部分は、把持部などの手動装置の外側部分、または手動装置の内側部分である。
【００２７】
第１パッド／第２パッドとボディまたはボディの一部との間の電気的接触は、直接的であってもよく、間接的であってもよい。よって、変形例では、第１パッド／第２パッドがボディの一部と直接的に接触している。別の変形例では、第１パッド／第２パッドが、ボディまたはボディの一部と、内部部品および／またはケーシングなどの中間部品を介して電気的に接触している。
【００２８】
このような電気的接触により、使用者が手動装置を手で操作して第１パッド／第２パッドを容量性スクリーンに近づけた場合に、容量性スクリーンが該パッドの存在を感知できる。
【００２９】
ある実施形態では、ボディが少なくとも１つの導電性部分を有し、先端部が第１状態／第２状態で取り付けられている場合に、第１パッド／第２パッドが少なくともボディの導電性部分と電気的に接触している。
【００３０】
変形例では、導電性部分はボディの把持部である。別の変形例では、導電性部分は、内部の導電性ロッドなどのボディの内側部分（すなわち、使用者の手で直接把持されるのではない部分）である。さらに別の変形例では、ボディは、内部の導電性部分と導電性の把持部とを有する。
【００３１】
ある実施形態では、手動装置は、第１状態および／または第２状態の先端部を取り付けるスナップ嵌めシステム（または、第２スナップ嵌めシステム）を含み、該スナップ嵌めシステムはケーシングに形成された少なくとも１つの第１起伏部と、ボディに形成され第１起伏部と相補的な形状によって協働するように構成された少なくとも１つの第２起伏部とを有し、先端部が第１状態および／または第２状態にある場合に少なくともスナップ嵌めシステムによってケーシングがボディと電気的に接触している。
【００３２】
スナップ嵌めシステムは、第１状態にある先端部のみ、第２状態にある先端部のみ、または、第１状態にある先端部および第２状態にある先端部の取り付けを可能にすると理解されるべきである。ケーシングとボディとをスナップ嵌めするシステムが、リバーシブルのスナップ嵌めシステムであり、先端部の状態を意のままに変更できるのはもちろんである。そのようなスナップ嵌めシステムにより、手動装置が特に簡単かつ使用し易いものとなり、一方で、高い信頼性で、強固にかつ低い製造コストで、ケーシングおよびボディを組み合わせることが可能となる。
【００３３】
ある実施形態では、ケーシングは、軸方向に延び、第１ヘッドおよび第２ヘッドのうちの一方のヘッドは、ケーシング軸方向第１部分とケーシング軸方向第２部分とを軸方向において区切る第１肩部と軸方向に協働し、該ヘッドは、ケーシング軸方向第１部分内を延びてケーシングから突出している。
【００３４】
軸方向において、ケーシングは、第１部分と第２部分とを有する。ケーシングの第１部分と第２部分とは第１肩部によって隔てられている。２つのヘッドのうちの一方は、ケーシングに、より詳細にはケーシング軸方向第１部分に嵌め込まれることによって取り付けられ、例えば、第１肩部に接してまたは押しつけられて第１肩部と協働する。このように組み付けることで、該ヘッドとケーシングとの間に電気的接触を容易に確保できる。
【００３５】
ある実施形態では、上記ヘッドは、該ヘッドとケーシングとの間に電気的接触を確保するように第１肩部と協働する肩部を形成する基部を含む。
【００３６】
基部は、第１肩部と協働するように構成された上記ヘッドの部分を含んでいる。例えば、基部は、導電性であり、第１肩部に押しつけられて第１肩部と協働する。これにより、ケーシングも導電性であるため、電気的接触が確保される。変形例では、基部は導電性ではないが、第１肩部または第１肩部の相補的な接触部と協働する少なくとも１つの接触部を有する。別の変形例では、基部は導電性であり、かつ、少なくとも１つの接触部を有する。
【００３７】
ある実施形態では、基部は、軸方向において第１肩部と内部部品との間に挟み込まれている。
【００３８】
このような組み付けにより、電気的接触を確保しながら、第１ヘッドのケーシングへの簡易で有効な機械的取り付けを行うことが可能になる。
【００３９】
ある実施形態では、第１ヘッドおよび第２ヘッドのうちの他方のヘッドは、容量性スクリーン用のパッドを含み、該パッドは、ケーシングと電気的に接触するように内部部品に取り付けられている。
【００４０】
上記他方のヘッドが第１ヘッドである場合には、該パッドが第１パッドである。上記他方のヘッドが第２ヘッドである場合には、該パッドが第２パッドである。パッドとケーシングとの間の接触は、パッドがケーシングに物理的に接することで直接的になされてもよく、または、内部部品または別の部品を介すなどして間接的になされてもよい。パッドがケーシングに直接的に接触している場合、別々の部品同士の接触の数を制限でき、それにより、不良のリスクが低減される。
【００４１】
ある実施形態では、ケーシングは、スカート部を備え、上記他方のヘッドのパッドは、少なくとも部分的にスカート部に嵌め込まれてスカート部と接触している。
【００４２】
パッドは、該パッドを使用できるようにスカート部から突出した状態でスカート部に嵌め込まれていると理解されるべきである。パッドは、ケーシングのスカート部を介してケーシングと接触している。ある実施形態では、スカート部は、ケーシングと単一の部品を構成する。変形例では、パッドの少なくとも一部が、スカート部と内部部品との間に挟み込まれ、それにより、スカート部とパッドとの間に直接的な接触が生じている。
【００４３】
ある実施形態では、ケーシングと内部部品とは軸方向に延びており、内側部品の少なくとも１つの軸端はヘッドに挿入されている。
【００４４】
内部部品は、軸方向において互いに反対側にある２つの軸端を有し、１つの軸端のみが単一のヘッドに挿入可能である、または、各軸端がヘッドに挿入可能であると理解されるべきである。内部部品の軸端のヘッドへの挿入により、内部部品とケーシングとの間での該ヘッドのロックを容易にできる。これにより、ヘッドがパッドを含む場合などにヘッドの特性を調整することも可能となり、それにより容量性スクリーンでヘッドが使用される場合にヘッドの剛性を調整することおよび／またはヘッドの変形の大きさを制限することが可能となる。
【００４５】
ある実施形態では、上記の軸端が相補的な形状によりヘッドの全体または一部と協働する。
【００４６】
これにより、ヘッドと内部部品との間の協働の最適化が可能となる。
【００４７】
ある実施形態では、ボディは、軸方向に延び、ボディは、先端部が取り付けられる第１遠位端を有する。
【００４８】
ケーシングが軸方向に延びる場合、ボディの軸方向と先端部の軸方向とは平行であると理解されるべきである。好適には、ボディとケーシングとが軸方向において同軸である。縦長の（すなわち、軸方向に延びる）ボディが容量性スクリーン用の先端部の操作に関して人間工学的に有利である。
【００４９】
ある実施形態では、ボディは、第１遠位端の反対側にある第２遠位端を有し、第２遠位端は、筆記用先端部またはその等価物を有する。
【００５０】
例えば、筆記用先端部またはその等価物とは、ボールポイント、フェルトペン先端部、シャープペンシル先端部、抵抗性スクリーン用の硬質の先端部、パンチの先端部、または他の何らかの手動装置の先端部である。
【００５１】
この場合、手動装置は、第１端部がリバーシブルの先端部を有し、第２端部が筆記用先端部またはその等価物を有する「三機能一体型」装置となる。
【００５２】
さらに別の例では、本発明のリバーシブルの先端部がさらにもう１つ第２遠位端に取り付けられる。この場合、手動装置は、「四機能一体型」装置となる。
【００５３】
本発明およびその利点が、非限定的な例として提示される本発明の種々の実施形態に関する詳細な説明を読むことでよりよく理解できる。以下の説明では、添付の図面を参照する。
【図面の簡単な説明】
【００５４】
【図１】図１は、先端部が第１状態でボディに取り付けられている場合の斜視図で見た第１実施形態の手動装置を示す。
【図２】図２は、先端部が第２状態でボディに取り付けられている場合の図２の手動装置を示す。
【図３】図３は、先端部を支持する手動装置の遠位端の先端部を外した状態の詳細図である。
【図４】図４は、先端部を分解図で示した図１と同様の図を示す。
【図５】図５は、先端部を分解図で示した図２と同様の図を示す。
【図６】図６は、先端部が第１状態で取り付けられている場合の手動装置の軸方向部分断面図である。
【図７】図７は、先端部が第２状態で取り付けられている場合の手動装置の軸方向部分断面図である。
【発明を実施するための形態】
【００５５】
手動装置の実施形態を図１〜図７を参照して説明する。図１および図６では、先端部が第１状態で取り付けられており、一方、図２および図７では、先端部が第２状態で取り付けられている。ただし、先端部の取り付け状態の「第１」または「第２」状態という番号付けはあくまで恣意的である。よって、図１および図６が第２状態の先端部を示し、図２および図７が第１状態の先端部を示していると考えることもできる。この場合には、ヘッドやパッドなどの番号付けも以下の説明のものとは反対になる。
【００５６】
手動装置１０は、軸方向Ｘに沿って縦に延びるボディ１２を備え、ボディ１２は、第１遠位端１２ａと、軸方向Ｘにおいて第１遠位端１２ａの反対側にある第２遠位端１２ｂとを有する。
【００５７】
第１遠位端１２ａにはリバーシブルの先端部１４が設けられ、一方、第２遠位端１２ｂには、この例ではボールペンの先端部である筆記用先端部が設けられている。変形例では、筆記用先端部がシャープペンシル先端部、フェルトペン先端部、またはその等価物であってもよいことはもちろんである。先端部は、固定式のものであってもよく、当業者に知られた任意の従来手段を用いた出没式のものであってもよい。
【００５８】
リバーシブルの先端部１４は、軸方向Ｘに沿って縦に延び、第１ヘッド１６と、軸方向Ｘにおいて第１ヘッド１６の反対側にある第２ヘッド１８とを含む。先端部１４は、第１ヘッド１６および第２ヘッド１８が嵌め込まれている導電性のアウターケーシング１９を備える。この例では、ケーシング１９は、プラスチックでできており、より詳細にはカーボンブラックが充填されたアクリロニトリルブタジエンスチレン（ＡＢＳ）でできている。
【００５９】
図１および６では、先端部１４の第１状態において、第１ヘッド１６がボディ１２から突出し、一方、第２ヘッド１８はボディ１２内に収められている。逆に、図２および７では、先端部１４の第２状態において、第２ヘッド１８がボディ１２から突出し、一方、第１ヘッド１６はボディ１２内に収められている。
【００６０】
第１ヘッド１６は、容量性スクリーン用の第１パッド２０を備え、一方、第２ヘッド１８は、容量性スクリーン用の第２パッド２２を備える。第１パッド２０および第２パッド２２は導電性材料でできており、この例では、カーボンブラックが充填されたシリコーンでできている。変形例では、例えば、第２ヘッドが第２パッドではなく消しゴムまたは摩擦体を備え、該消しゴムまたは摩擦体は第２パッド２２と同じ形状を有し得る。
【００６１】
第１パッド２０は、内部部品２１に取り付けられている。第１パッド２０は、容量性スクリーンと協働するための遠位端２０ａを有し、この端部２０ａは、この例では、実質的に中空の半球状である（図６参照）。端部２０ａは、実質的に中空のシリンダー状である固定部２０ｂの延長上にある。固定部２０ｂは、固定部２０ｂの自由端近傍でかつ固定部２０ｂの内側に配置されたカラー２０ｃを有する。カラー２０ｃは、内部部品２１の第１軸端２１ａに形成された環状の溝２１ｃとスナップ嵌めによって協働する。内部部品の軸端２１ａは、第１ヘッド１６に挿入されており、この例では第１パッド２０内にある。この軸端２１ａは、第１パッド２０の内側部分と相補的な形状により協働し、この例では第１パッド２０の固定部２０ｂの内側と協働する。
【００６２】
第２パッド２２は、容量性スクリーンと協働するための遠位端２２ａを有し、この端部２２ａは、この例では、実質的に中実の半球状である（図７参照）。端部２２ａは、実質的に中実のシリンダー状である固定部２２ｂの延長上にある。この固定部２２ｂは、端部２２ａと基部２２ｃとの間を軸方向に延びている。基部２２ｃは、固定部２２ｂに対して径方向外側へ突出する環状のカラーを形成している。基部２２ｃのカラーの面のうち、固定部２２ｂ側に位置している面が肩部２２ｄを形成している。さらに、（軸方向において第１軸端２１ａの反対側にある）内部部品２１の第２軸端２１ｂは、第２ヘッド１８に挿入されており、この例では第２パッド２２内にある。この軸端２１ｂは、第２パッド２２の内側と相補的な形状により協働し、この例では第２パッド２２の固定部２２ｂおよび端部２２ａの内側と協働する。
【００６３】
この例では、ケーシング１９は、軸方向Ｘに延び、軸Ｘまわりに回転対称である。ケーシング１９は、ケーシング軸方向第１部分１９ａとケーシング軸方向第２部分１９ｂとを有する。第１肩部１９ｃが第１部分１９ａと第２部分１９ｂとを軸方向において区切っている。軸方向第１部分１９ａと第２部分１９ｂとは隣り合っている。軸方向第１部分１９ａの内径は、軸方向第２部分１９ｂの内径より小さい。ケーシング１９は、軸方向Ｘにおける軸方向第１部分１９ａの反対側に、軸方向第２部分１９ｂと隣り合うスカート部１９ｄを有する。よって、ケーシングは、軸方向Ｘに沿って順に、軸方向第１部分１９ａ、軸方向第２部分１９ｂ、およびスカート部１９ｄを有する。第２部分１９ｂの内径はスカート部１９ｄの内径より小さい。
【００６４】
ケーシング１９は、第１起伏部を有し、この例では第２部分１９ｂの内側表面に形成された環状の溝２３ａを有する。スナップ嵌めによって内部部品２１にケーシング１９を組み付けるスナップ嵌めシステム２３（または、第１スナップ嵌めシステム）を形成するために、第１起伏部２３ａは、内部部品２１の第２起伏部と協働し、この例では環状のリブ２３ｂと協働する。環状のリブ２３ｂと環状の溝２３ａとは、相補的な形状によって協働する。変形例において、リブがケーシングの内側表面に形成され溝が内部部品の表面に形成されていてもよいことはもちろんである。スナップ嵌めシステム２３は、内部部品２１とケーシング１９とのスナップ嵌めによる組み合わせを可能にする。
【００６５】
第２ヘッド１８は、ケーシング軸方向第１部分１９ａ内を延び、軸方向において第１肩部１９ｃと協働する（図７参照）。第２ヘッド１８は、ケーシング軸方向第１部分１９ａから突出している。詳細には、この例では、基部２２ｃ、より詳細には肩部２２ｄが、ケーシング１９の第１肩部１９ｃと軸方向において協働する。第２パッド２２、より詳細には固定部２２ｂが、軸方向第１部分１９ａ内を軸方向に延び、第２パッド２２の遠位端２２ａが軸方向第１部分１９ａから、ひいてはケーシング１９から突出している。
【００６６】
内部部品２１およびケーシング１９は、Ｘ軸方向において基部２２ｃを挟み込んでいる。内部部品２１は、ケーシング１９にスナップ嵌めされており、該基部２２ｃを第１肩部１９ｃに押しつけている。すなわち、第２ヘッド１８、この例では、より詳細には、第２パッド２２は、ケーシング１９と内部部品２１の間でロックされている。第２パッド２２およびケーシング１９が導電性材料でできているため、このように取り付ければ、少なくとも、肩部２２ｄと第１肩部１９ｃとが互いに押しあって協働することによって、ケーシング１９と第２パッド２２との間に電気的接触が確保される。
【００６７】
第１パッド２０は、溝２１ｃに嵌ったカラー２０ｃによって内部部品２１に固定されている（図６参照）。その溝２１ｃを有する内部部品２１の第１軸端２１ａは、第１パッド２０の固定部２０ｂが径方向において内部部品２１とスカート部１９ｄとの間に挟み込まれるように、ケーシング１９のスカート部１９ｄ内を部分的に延びている。これにより、カラー２０ｃは、溝２１ｃ内でロックされており、そうして第１パッド２０の内部部品２１への取り付けが固定されている。すなわち、第１ヘッド１６、この例では、より詳細には、第１パッド２０は、ケーシング１９と内部部品２１の間でロックされている。第１パッドの遠位端２０ａがスカート部１９ｃから、ひいてはケーシング１９から軸方向に突出していることはもちろんである。
【００６８】
スカート部１９ｄは、第１パッド２０の固定部２０ｂと接触している。ケーシング１９および第１パッド２０が導電性であるため、この取り付けにより、ケーシング１９と第１パッド２０との間に電気的接触が確保される。
【００６９】
さらに、パッド２０および２２の保持をより良好にするために、内部部品２１は、複数の部分２１ｅ、この例では軸方向Ｘにおいて離間した３つの部分２１ｅを有し、これらの部分は、ケーシング１９の対応する部分の内径と実質的に等しい外径を有する（すなわち、それらの径は、それらの嵌め合わせを可能にし、それらの径は、プラスマイナス１％〜３％の範囲で一致している）。すなわち、複数の部分２１ｅは、ケーシング１９の対応する部分に合った径を有する。これにより、より良好なパッドのロックが可能となり、より強固なスナップ嵌めによる組み付けが可能となる。よって、通常は、内部部品２１は、相補的な形状による嵌め合わせによって、ケーシング１９と完全にまたは部分的に協働する。
【００７０】
この例では、内部部品２１は絶縁性材料でできている。変形例では、内部部品２１は、導電性材料でできており、主な機能ではないが、第１パッドおよび第２パッド２０，２２とケーシング１９との間に電気的接触を生じさせることにも寄与する。
【００７１】
ケーシング１９は、その外周に環状のリブ２４ａを有し、一方、ボディ１２は、その内側表面に環状の溝２４ｂを有する。環状のリブ２４ａおよび環状の溝２４ｂは、先端部１４とボディ１２の間のスナップ嵌めシステム２４（または、第２スナップ嵌めシステム）の第１起伏部および第２起伏部の例を構成する。変形例において、溝がケーシングの外側表面に形成されリブがボディの内側表面に形成されていてもよいことはもちろんである。リブ２４ａおよび溝２４ｂは、相補的な形状によって協働し、それらにより、先端部２４がボディ１２にスナップ嵌めされた場合にボディ１２とケーシング１４の間の電気的接触が確保される。よって、この例では、パッド２０および２２がボディ１２に電気的に接触するように、第１パッド２０および第２パッド２２がケーシング１９に直接的に接触し、ケーシング１９がボディ１２に直接的に接触し、第２スナップ嵌めシステム２４のリブ２４ａおよび溝２４ｂがそれらの協働により先端部１４とボディ１２の間の接触を確保する。この例では、使用者がボディ１２を取り扱うときに使用者の指がパッド２０および２２に電気的に接触してパッドが容量性スクリーンと相互作用可能となるように、ボディ１２は、プラスチック材料などの導電性材料でできており、より詳細にはカーボンブラックが充填されたＡＢＳ（またはアクリロニトリルブタジエンスチレン）でできている。
【００７２】
ボディ１２内の先端部１４の保持をより良好にするために、先端部１４は、ボディの軸方向第１部分１２ｃに部分的に収容され、ボディの軸方向第２部分１２ｄに部分的に収容される。軸方向第１部分１２ｃは、スナップ嵌めシステム２４の溝２４ｂを含む。軸方向第２部分１２ｄは、軸方向第１部分１２ｃと隣り合っており、軸方向第１部分１２ｃから見てボディ１２の第２遠位端１２ｂの側にあり、軸方向第１部分１２ｃの内径よりも小さい内径を有する。軸方向第２部分１２ｄの内径は、先端部１４の外径、この例ではケーシング１９の外径に少なくとも部分的に合っている。よって、軸方向第２部分１２ｄは、軸方向Ｘに垂直な方向の動きを制限する動き制限部を構成する。これにより、ボディ１２内でのより良好な先端部１４の保持が可能となり、より強固なスナップ嵌めによる組み付けが可能となる。
【００７３】
本発明を具体的な実施形態を挙げて説明したが、請求項によって定められる本発明の全体の範囲を逸脱しない限り、改良および変更をそれら実施形態に施し得ることは明らかである。特に、図示かつ／または説明した種々の実施形態の個々の特徴を組み合わせてさらなる実施形態を構成してもよい。従って、本明細書および図面は、限定的な意味ではなく、例示的な意味で考察されるべきである。
【図１】
0006648134.tif 000002
【図２】
0006648134.tif 000003
【図３】
0006648134.tif 000004
【図４】
0006648134.tif 000005
【図５】
0006648134.tif 000006
【図６】
0006648134.tif 000007
【図７】
0006648134.tif 000008